(57)【要約】【課題】プロテクター本体の位置ズレを防止し、しかも、容易かつ適正に装着可能なプロテクターを提供する。【解決手段】人体の胸部及び前腹部を保護するボディ部10と、ボディ部10から上方に突出状に連設された左右一対の突出片部11，11と、を有するプロテクター本体１と、プロテクター本体１を人体に装着するための背中装着部材６と、を備えたプロテクターであって、弯曲円弧状の弾性芯材51を有する肩掛けアーチ片５を介して、各突出片部11と背中装着部材６とを、連結し、装着使用状態で肩掛けアーチ片５が円弧状を保って人体の肩部に懸架されるように構成した。【選択図】図１
2018139767.tif 000002
【特許請求の範囲】
【請求項１】
人体の胸部及び前腹部を保護するボディ部（10）と、該ボディ部（10）から上方に突出状に連設された左右一対の突出片部（11）（11）と、を有するプロテクター本体（１）と、
上記プロテクター本体（１）を人体に装着するための背中装着部材（６）と、を備えたプロテクターに於て、
弯曲円弧状の弾性芯材（51）を有する肩掛けアーチ片（５）を介して、各上記突出片部（11）と上記背中装着部材（６）とを、連結し、
装着使用状態で上記肩掛けアーチ片（５）が円弧状を保って人体の肩部（Ｓ）に懸架されるように構成されていることを特徴とするプロテクター。
【請求項２】
人体の胸部及び前腹部を保護するボディ部（10）と、該ボディ部（10）から上方に突出状に連設された左右一対の突出片部（11）（11）と、を有するプロテクター本体（１）と、
上記プロテクター本体（１）を人体に装着するための背中装着部材（６）と、を備えたプロテクターに於て、
上記プロテクター本体（１）の各上記突出片部（11）は、装着使用状態で人体の肩部（Ｓ）の頂部（Ｓｄ）を超える長さに設定されて、弯曲円弧状の弾性芯部（52）が内部に設けられた肩掛けアーチ片部（50）が形成され、該肩掛けアーチ片部（50）と上記背中装着部材（６）とを、連結し、
装着使用状態で上記肩掛けアーチ片部（50）が円弧状を保って人体の肩部（Ｓ）に懸架されるように構成されていることを特徴とするプロテクター。
【請求項３】
上記プロテクター本体（１）を人体に装着するための腰装着部材（７）を備え、
弯曲円弧状の脇腹用弾性芯材（81）を有する脇腹当接円弧状片（８）を介して、上記プロテクター本体（１）の左右各側縁部（12）と、上記腰装着部材（７）とを、連結し、
装着使用状態で上記脇腹当接円弧状片（８）が円弧状を保って人体の脇腹部（Ｗ）に引っ掛かるように構成されている請求項１又は２記載のプロテクター。
【請求項４】
上記プロテクター本体（１）を人体に装着するための腰装着部材（７）を備え、
上記プロテクター本体（１）の左右各側縁部（12）は、装着使用状態で人体の脇腹部（Ｗ）の頂部（Ｗｄ）を超える長さに設定されて、弯曲円弧状の脇腹用弾性芯部（82）が内部に設けられた脇腹当接円弧状片部（80）が形成され、該脇腹当接円弧状片部（80）と上記腰装着部材（７）とを、連結し、
装着使用状態で上記脇腹当接円弧状片部（80）が円弧状を保って人体の脇腹部（Ｗ）に引っ掛かるように構成されている請求項１又は２記載のプロテクター。
【発明の詳細な説明】
【技術分野】
【０００１】
本発明は、プロテクターに関する。
【背景技術】
【０００２】
従来、選手や審判員を他者や球から保護するための球技用のプロテクターは、人体の胸部を保護するためのボディ部と、ボディ部から上方に突出状に連設された左右一対の突出片部と、を一体に有するプロテクター本体を備え、そのプロテクター本体を人体に装着するための背ベルトや背パット等の背中装着部材を、突出片部の上端部に固着していた（例えば、特許文献１参照）。
【先行技術文献】
【特許文献】
【０００３】
【特許文献１】登録実用新案第３０７０２４０号公報
【発明の概要】
【発明が解決しようとする課題】
【０００４】
しかし、従来のプロテクターは、人体の肩部において装着おさまりが悪く、プロテクター本体が上下動するといった問題があった。つまり、図10（ａ）（ｂ）に示すように、プロテクター本体90を人体に装着すると、側面視で、突出片部91の裏面側と、背中装着部材99と、人体の肩部Ｓと、の間に、不要な隙間Ｊが形成される。この隙間Ｊが形成されたまま装着者が運動すると、図11（ａ）に示すように、プロテクター本体90が下方へ滑り落ちるように位置ズレして保護性能が十分に発揮できないといった問題や、図11（ｂ）に示すように、プロテクター本体90が上方かつ後方へせり上がって、装着者の首元が窮屈になって不快感を与えたり、運動の妨げになるといった問題があった。
【０００５】
そこで、本発明は、プロテクター本体の位置ズレを防止し、しかも、容易かつ適正に装着可能なプロテクターの提供を目的とする。
【課題を解決するための手段】
【０００６】
上記目的を達成するために、本発明のプロテクターは、人体の胸部及び前腹部を保護するボディ部と、該ボディ部から上方に突出状に連設された左右一対の突出片部と、を有するプロテクター本体と、上記プロテクター本体を人体に装着するための背中装着部材と、を備えたプロテクターに於て、弯曲円弧状の弾性芯材を有する肩掛けアーチ片を介して、各上記突出片部と上記背中装着部材とを、連結し、装着使用状態で上記肩掛けアーチ片が円弧状を保って人体の肩部に懸架されるように構成されているものである。
【０００７】
また、人体の胸部及び前腹部を保護するボディ部と、該ボディ部から上方に突出状に連設された左右一対の突出片部と、を有するプロテクター本体と、上記プロテクター本体を人体に装着するための背中装着部材と、を備えたプロテクターに於て、上記プロテクター本体の各上記突出片部は、装着使用状態で人体の肩部の頂部を超える長さに設定されて、弯曲円弧状の弾性芯部が内部に設けられた肩掛けアーチ片部が形成され、該肩掛けアーチ片部と上記背中装着部材とを、連結し、装着使用状態で上記肩掛けアーチ片部が円弧状を保って人体の肩部に懸架されるように構成されているものである。
【０００８】
また、上記プロテクター本体を人体に装着するための腰装着部材を備え、弯曲円弧状の脇腹用弾性芯材を有する脇腹当接円弧状片を介して、上記プロテクター本体の左右各側縁部と、上記腰装着部材とを、連結し、装着使用状態で上記脇腹当接円弧状片が円弧状を保って人体の脇腹部に引っ掛かるように構成されているものである。
また、上記プロテクター本体を人体に装着するための腰装着部材を備え、上記プロテクター本体の左右各側縁部は、装着使用状態で人体の脇腹部の頂部を超える長さに設定されて、弯曲円弧状の脇腹用弾性芯部が内部に設けられた脇腹当接円弧状片部が形成され、該脇腹当接円弧状片部と上記腰装着部材とを、連結し、装着使用状態で上記脇腹当接円弧状片部が円弧状を保って人体の脇腹部に引っ掛かるように構成されているものである。
【発明の効果】
【０００９】
本発明によれば、肩掛けアーチ片又は肩掛けアーチ片部が、人体の肩部にフック掛けのように懸架されて、肩部近傍に位置ズレの原因となる不要な隙間が形成されるのを防止できる（密着性を高めて装着おさまりが良くなる）。装着使用状態で装着者が運動しても肩掛けアーチ片又は肩掛けアーチ片部が、上下方向の位置ズレを防止し、装着者を確実に保護できると共に、運動の妨げや不快感を防止できる。また、人体の肩部に、肩掛けアーチ片又は肩掛けアーチ片部を対応させることで、適正な位置に容易かつ迅速に配設（仮当て）して装着できる。背中装着部材の装着力を人体の肩部に無駄なく伝えて位置ズレを防止できる。
【図面の簡単な説明】
【００１０】
【図１】本発明のプロテクターの実施の一形態を示す正面図である。
【図２】要部断面側面図である。
【図３】横断面図であって、（ａ）は図１のＹ―Ｙ断面をもって示す自由状態の横断面図であり、（ｂ）は装着使用状態を示す横断面図である。
【図４】第２実施形態の要部断面側面図である。
【図５】第３実施形態の要部断面側面図である。
【図６】第４実施形態の横断面図である。
【図７】第５実施形態の横断面図である。
【図８】肩掛けアーチ片と背パット部材の連結構造の一例を示す要部断面側面図である。
【図９】突出片部と背パット部材の連結構造の一例を示す要部断面側面図である。
【図１０】従来技術の問題点を説明するための要部断面側面図であって、（ａ）は装着使用状態の一例を示す要部断面側面図であり、（ｂ）は装着使用状態の他例を示す要部断面側面図である。
【図１１】従来技術の問題点を説明するための要部断面側面図であって、（ａ）は位置ズレ状態の一例を示す要部断面側面図であり、（ｂ）は位置ズレ状態の他例を示す要部断面側面図である。
【発明を実施するための形態】
【００１１】
以下、図示の実施形態に基づき本発明を詳説する。
本発明に係るプロテクターは、野球やソフトボール等の球技の選手（捕手）や審判員の上半部を保護するものであって、図１に示すように、人体の胸部と前腹部と脇腹部を保護するプロテクター本体１と、プロテクター本体１を人体に装着するための背中装着部材６及び腰装着部材７と、を備えている。
【００１２】
プロテクター本体１は、人体の胸部及び前腹部を保護するボディ部10と、ボディ部10の上部左右各々から上方突出状に一体に連設される左右一対の突出片部11，11と、前腹部乃至脇腹部（横腹部）を保護する脇腹保護部30と、を有している。
【００１３】
そして、図１及び図２に示すように、左右各突出片部11に、側面視で弯曲円弧状の肩掛けアーチ片５を連結し、その肩掛けアーチ片５に、背中装着部材６の上端部（先端部）を連結している。
【００１４】
肩掛けアーチ片５（以下、アーチ片５と呼ぶ場合もある）は、一端部（前端部）５ｅの裏面が、突出片部11，11の上部の表て面に対応（対面）して縫製にて固着（縫着）され、他端部（後端部）５ｆに、背中装着部材６の背ベルト部材61がリベット止め等によって固着している。言い換えると、突出片部11に、アーチ片５を、延伸状に固着している。
アーチ片５は、突出片部11に対して後端部５ｆ側が揺動自在であり、装着を容易かつ迅速に行うことができる。
【００１５】
アーチ片５は、表て被覆部材（表て生地）と、裏被覆部材（裏生地）と、表て被覆部材と裏被覆部材に挟まれる肩用の弾性芯材51と、縁部を包囲する縁巻き部材と、を有し、縫製にて一体化している。なお、図２乃至図11に於て、各部材や部位における表て被覆部材と裏被覆部材と縁巻き部材は一体に（同一断面にて）図示している。
【００１６】
弾性芯材51は、熱圧縮成型品であって、自由状態（非装着状態）で、側面視弯曲円弧形状（アール形状）が保持されるように形成されている。また、弾性変形可能である。
つまり、アーチ片５は、予め（装着する前から）人体の肩部Ｓに沿うことが（肩部Ｓの頂部Ｓｄを超えることが）可能な形状に保持されている。
【００１７】
アーチ片５（弾性芯材51）は、帯板型であって、装着使用状態で、人体（装着者）の肩部Ｓの前面側から、肩部Ｓの頂部Ｓｄを超えて、肩部Ｓの背面側へ向かうように、側面視で弯曲円弧状（アール状）を保って、肩部Ｓに懸架されるように形成している。
【００１８】
そして、アーチ片５は、突出片部11よりも硬く（突出片部11はアーチ片５よりも柔らかく）形成している。装着使用状態において、突出片部11がアーチ片５の前端部５ｅに沿って弾性変形し、アーチ片５が、肩部Ｓに沿って配置される。
【００１９】
また、アーチ片５と突出片部11とのラップ部における突出片部11の最大左右幅寸法を１００％とすると、アーチ片５の最大左右幅寸法は、５０％以上９０％以下に設定している。つまり、アーチ片５は、突出片部11よりも細く、装着者が首振してもアーチ片５が運動の妨げにならない。
【００２０】
アーチ片５は、装着使用状態で、人体の肩部Ｓに沿って当接し、位置ズレの原因となるような不要な隙間Ｊ（図10参照）が形成されるのを阻止する（密着性を高める）。また、背中装着部材６の締め付け力（装着力）によって、アーチ片５が人体の肩部Ｓに沿って押し付けられ、装着力を無駄なく人体に作用させることができ、摩擦力を高める。アーチ片５は、弾性変形可能であるが、自由状態（非装着状態）及び装着使用状態の両者において、弯曲円弧形状を保つため、人体の肩部Ｓに懸架されてフック作用を発揮し、プロテクター本体１が下方へ位置ズレしようとしても、肩掛けアーチ片５の後端部５ｆが肩部Ｓの背中側に係止するように当接して阻止し、プロテクター本体１が上方へ位置ズレしようとしても肩掛けアーチ片５の前端部５ｅによって前下方へ押さえつけておくことができる。
【００２１】
ここで、図１に示すように、プロテクター本体１は、ボディ部10及び突出片部11，11を有する（人体の胸部及び前腹部を保護する）中央保護部材２と、中央保護部材２から左右側方へ突設され人体の前腹部乃至脇腹部を保護する（脇腹保護部30を有する）左右一対の側方保護部材３，３と、を備えた３分割構造である。中央保護部材２の左右両側縁夫々に、各側方保護部材３，３が縫着によって固着されている。側方保護部材３，３は、中央保護部材２に対して、揺動自在である。
【００２２】
そして、図１及び図３に示すように、プロテクター本体１の左右各側縁部12に、平面視で弯曲円弧状の脇腹当接円弧状片８を連結し、その脇腹当接円弧状片８に、腰装着部材７を連結している。
【００２３】
脇腹当接円弧状片８（以下、円弧状片８と呼ぶ場合もある）は、一端部（前端部）８ｅの裏面が、側縁部12の表て面に対応（対面）して縫製にて固着（縫着）され、他端部（後端部）８ｆに、腰装着部材７のバックル部材77や腰ベルト部材71がリベット止め等によって固着している。言い換えると、側縁部12に、円弧状片８を、延伸状に固着している。
円弧状片８は、側縁部12に対して後端部８ｆ側が揺動自在であり、装着を容易かつ迅速に行うことができる。
【００２４】
円弧状片８は、表て被覆部材と、裏被覆部材と、表て被覆部材と裏被覆部材に挟まれる脇腹用弾性芯材81と、縁部を包囲する縁巻き部材と、を有し、縫製にて一体化している。
脇腹用弾性芯材81は、熱圧縮成型品であって、自由状態（非装着状態）で、平面視弯曲円弧形状が保持されるように形成されている。また、弾性変形可能に形成されている。
つまり、円弧状片８は、予め（装着する前から）人体の脇腹部Ｗに沿うことが（脇腹部Ｗの頂部Ｗｄを超えることが）可能な形状に保持されている。
【００２５】
円弧状片８（脇腹用弾性芯材81）は、板型であって、装着使用状態で、人体の前面側（前腹側）から、人体の脇腹部Ｗの（左右外方へ膨らんだ）頂部Ｗｄを超えて、人体の背面側へ向かうように、平面視で弯曲円弧状（アール状）を保って、脇腹部Ｗに引っ掛かるように形成している。
【００２６】
そして、円弧状片８は、プロテクター本体１の側縁部12（脇腹保護部30）よりも硬く形成している（側縁部12は、脇腹当接円弧状片８よりも柔らかく形成している）。装着使用状態において側縁部12が円弧状片８の前端部８ｅに沿って弾性変形し、円弧状片８が、脇腹部Ｗに沿って配置される。
また、側縁部12の側端が左右内方へ屈曲するように、（脇腹保護部30において）クセ付けした縫製クセ付けライン88に、円弧状片８の前端部８ｅを縫着している。縫製作業を容易かつ迅速に行うことが可能となる。
【００２７】
円弧状片８は、装着使用状態で、人体の脇腹部Ｗに沿って当接し、位置ズレの原因となるような不要な隙間が形成されるのを阻止する。また、腰装着部材７の装着力によって、円弧状片８が人体の脇腹部Ｗに沿って押し付けられて、装着力を無駄なく人体に作用させる。円弧状片８は、弾性変形可能であるが、自由状態（非装着状態）及び装着使用状態の両者において、弯曲円弧形状を保つため、人体の脇腹部Ｗに引っ掛かって、プロテクター本体１の左右方向の位置ズレを阻止する。
【００２８】
次に、図４に示す第２実施形態について説明する。図１及び図２の実施形態と比べて突出片部11の構成が異なる。
図４に於て、突出片部11は、装着使用状態で人体の肩部Ｓの頂部Ｓｄを超える長さに設定されている。突出片部11は、人体の肩部Ｓの前面側を保護するための保護片部15と、保護片部15の上端部から延伸一体状に設けられ装着使用状態で人体の肩部Ｓの頂部Ｓｄを超えるように懸架される肩掛けアーチ片部50と、を有するものである。
【００２９】
肩掛けアーチ片部50（以下、アーチ片部50と呼ぶ場合もある）は、自由状態（非装着状態）で側面視弯曲円弧状の肩用の弾性芯部52が内部に設けられている。つまり、予め（装着する前から）人体の肩部Ｓに沿うことが可能な形状に保持されている。
弾性芯部52は、保護片部15の内部に設けられた保護用芯部18と一体に設けている。言い換えると、保護用芯部18及び弾性芯部52は、熱圧縮成型による一体成型品（突出片用芯材）の一部である。弾性芯部52は保護用芯部18よりも硬く設定している。
そして、アーチ片部50の先端と背中装着部材６の背ベルト部材61とを、連結し、装着使用状態で肩掛けアーチ片部50（弾性芯部52）が円弧状を保って人体の肩部Ｓに懸架されるように構成している。ボディ部10及び保護片部15の上下方向の位置ズレを阻止する。アーチ片部50及び弾性芯部52の他の構成及び作用効果は、上述のアーチ片５及び弾性芯材51と同様である。また、プロテクター全体の他の構成及び作用効果は、上述の実施形態と同様である。
【００３０】
次に、図５に示す第３実施形態について説明する。
図５の実施形態は、図４の実施形態と比べて、保護用芯部18と弾性芯部52とを別部材（異なる芯材）で構成している。
つまり、突出片部11において、保護片部15を形成する表て被覆部材と裏被覆部材と縁巻き部材といった各部材は、アーチ片部50を形成する表て被覆部材と裏被覆部材と縁巻き部材といった各部材と、夫々、一体であり、外観形状（見た目や美観）は、図４の実施形態と同様であるが、突出片部11の内部において、保護片部15に対応する保護用芯材19と、アーチ片部50に対応する肩用の弾性芯材51と、を設けた、芯材分離構造としている。
図５の実施形態のように構成することで、保護用芯部18と弾性芯部52の製造（成型）が容易になると共に、材質を相違させることや、硬さを相違させることが容易となる。他の構成及び作用効果は、上述の実施形態と同様である。
【００３１】
次に、図６に示す第４実施形態について説明する。図１及び図３の実施形態と比べて、側縁部12の構成が異なる。
図６に於て、プロテクター本体１の側縁部12は、装着使用状態で人体の脇腹部Ｗの頂部Ｗｄを超える長さに設定されている。
側縁部12は、人体の前腹部乃至脇腹部Ｗを保護するための脇腹保護部30と、脇腹保護部30の左右外方側縁部に一体状に連設され装着使用状態で人体の脇腹部Ｗの頂部Ｗｄを超えるように形成されて脇腹部Ｗに引っ掛かる脇腹当接円弧状片部80と、を有するものである。脇腹保護部30は、ボディ部10の下部となる（人体の前腹部を保護する）前腹保護部20と、脇腹当接円弧状片部80と、の間の部位である。
【００３２】
脇腹当接円弧状片部80（以下、円弧状片部80と言う場合もある）は、自由状態（非装着状態）で平面視弯曲円弧状の脇腹用弾性芯部82が内部に設けられている。予め（装着する前から）人体の脇腹部Ｗに沿うことが（頂部Ｗｄを超えることが）可能な形状に保持されている。
脇腹用弾性芯部82は、脇腹保護部30の内部に設けられた脇腹保護用芯部38と一体に設けている。言い換えると、脇腹保護用芯部38及び脇腹用弾性芯部82は、熱圧縮成型による一体成型品（側縁部用芯材）の一部である。脇腹用弾性芯部82は脇腹保護用芯部38よりも硬く設けている。
そして、円弧状片部80の先端と腰装着部材７とを、連結し、装着使用状態で円弧状片部80（脇腹用弾性芯部82）が円弧状を保って人体の脇腹部Ｗに引っ掛かるように構成している。円弧状片部80は、ボディ部10や脇腹保護部30が左右方向に位置ズレを阻止する。円弧状片部80と脇腹用弾性芯部82の他の作用効果は、上述の円弧状片８と脇腹用弾性芯材81と同様である。また、他の構成及び作用効果は、上述の実施形態と同様である。
【００３３】
次に、図７に示す第５実施形態について説明する。
図７の実施形態は、図６の実施形態と比べて、脇腹保護用芯部38と脇腹用弾性芯部82とを別部材（異なる芯材）で構成している。
つまり、側縁部12において、脇腹保護部30を形成する表て被覆部材と裏被覆部材と縁巻き部材といった各部材は、円弧状片部80を形成する表て被覆部材と裏被覆部材と縁巻き部材といった各部材と、夫々、一体であり、外観形状（見た目や美観）は、図６の実施形態と同様であるが、側縁部12の内部において、脇腹保護部30に対応する脇腹保護用芯材39と、円弧状片部80に対応する脇腹用弾性芯材81と、を設けた芯材分離構造としている。
【００３４】
図７の実施形態のように構成することで、脇腹保護用芯部38と、脇腹用弾性芯部82と、の製造（成型）が容易になると共に、材質を相違させることや、硬さ（硬度）を相違させることが容易となる。他の構成及び作用効果は、上述の実施形態と同様である。
【００３５】
また、図８と図９に示すように、背中装着部材６の先端部（上端部）側が背パット部材62で構成される場合は、Ｔ字乃至Ｙ字状に形成されている背パット部材62の分岐突片部の先端部（上端部）を、図８に示すようにアーチ片５、又は、図９に示すようにアーチ片部50、の裏面側に配設して、固着（縫着）している。
さらに、背パット部材62の分岐片部の先端62ｄを、図８に示すように突出片部11、又は、図９に示すように保護片部15、の上端近傍に（上端に接近させて）縫着し、人体の肩部Ｓに背パット部材62の分岐片部の裏面が当接する（背パット部材62が肩部Ｓに懸架される）ように設けている。
【００３６】
また、アーチ片５及びアーチ片部50よりも、背パット部材62を柔らかく設ける。背パット部材62の分岐突片部が、アーチ片５又はアーチ片部50に沿って、人体の肩部Ｓに密着して位置ズレを防止できる。言い換えると、アーチ片５又はアーチ片部50によって、背パット部材62を弾性変形させて、肩部Ｓに沿って密着させている。また、フィット感も得られる。また、背パット部材62を適正な位置（人体の肩甲骨を保護する位置）に保持できる。
【００３７】
また、各芯材19，39，51，81や芯部18，38，52，82は、樹脂製又はゴム製であって、材質としては、例えば、低反発ポリプロピレン、低反発ポリエチレン、ポリエチレン発泡体、ポリウレタン発泡体、ＥＶＡ（エチレン−酢酸ビニル共重合樹脂）発泡体、エラストマー等である。
【００３８】
なお、本発明は、設計変更可能であって、図１と図３に於て、プロテクター本体１は、中央保護部材２と一対の側方保護部材３，３とを一体に有する１枚板状であっても良い。図６と図７のプロテクター本体１に於て、ボディ部10（前腹保護部20）と脇腹保護部30とが別部材で構成された分割構造であっても良い。なお、背中装着部材６の下端部と、腰装着部材７の左右方向中央部とは、接続片を介して、連結している。本発明のプロテクターは、図４又は図５の構成と、図６又は図７の構成と、を備えたものであっても良い。
【００３９】
なお、図１乃至図３と図８と図９に於て、縫着部を太い一点鎖線で図示している。また、図４と図５と図９において、保護片部15と肩掛けアーチ片部50の境界を太い二点鎖線で図示している。また、図６と図７において、ボディ部10（前腹保護部20）と、脇腹保護部30と、円弧状片部80と、の境界を太い二点鎖線で図示している。また、図８と図９に於て、突出片部11と背パット部材62の芯材（芯部）を図示省略している。
【００４０】
以上のように、本発明のプロテクターは、人体の胸部及び前腹部を保護するボディ部10と、該ボディ部10から上方に突出状に連設された左右一対の突出片部11，11と、を有するプロテクター本体１と、上記プロテクター本体１を人体に装着するための背中装着部材６と、を備えたプロテクターに於て、弯曲円弧状の弾性芯材51を有する肩掛けアーチ片５を介して、各上記突出片部11と上記背中装着部材６とを、連結し、装着使用状態で上記肩掛けアーチ片５が円弧状を保って人体の肩部Ｓに懸架されるように構成されているので、肩掛けアーチ片５が、肩部Ｓにフック掛けのように懸架されて、肩部Ｓ近傍に位置ズレの原因となる不要な隙間が形成されるのを防止できる。装着使用状態で装着者が運動しても肩掛けアーチ片５が、上下方向の位置ズレを防止し、装着者を確実に保護できる。また、運動の妨げや不快感を防止できる。肩部Ｓに、肩掛けアーチ片５を対応させることで、プロテクター本体１を適正な位置に容易かつ迅速に配設できる。背中装着部材６の装着力を肩部Ｓに無駄なく伝えて位置ズレを防止できる。
【００４１】
また、人体の胸部及び前腹部を保護するボディ部10と、該ボディ部10から上方に突出状に連設された左右一対の突出片部11，11と、を有するプロテクター本体１と、上記プロテクター本体１を人体に装着するための背中装着部材６と、を備えたプロテクターに於て、上記プロテクター本体１の各上記突出片部11は、装着使用状態で人体の肩部Ｓの頂部Ｓｄを超える長さに設定されて、弯曲円弧状の弾性芯部52が内部に設けられた肩掛けアーチ片部50が形成され、該肩掛けアーチ片部50と上記背中装着部材６とを、連結し、装着使用状態で上記肩掛けアーチ片部50が円弧状を保って人体の肩部Ｓに懸架されるように構成されているので、肩掛けアーチ片部50が、肩部Ｓにフック掛けのように懸架されて、肩部Ｓ近傍に不要な隙間が形成されるのを防止できる。装着使用状態で装着者が運動しても肩掛けアーチ片部50が、上下方向の位置ズレを防止し、装着者を確実に保護できると共に、運動の妨げや不快感を防止できる。また、肩部Ｓに、肩掛けアーチ片部50を対応させることで、プロテクター本体１（ボディ部10や保護片部15）を適正な位置に容易かつ迅速に配設できる。背中装着部材６の装着力を肩部Ｓに無駄なく伝えて位置ズレを防止できる。
【００４２】
また、上記プロテクター本体１を人体に装着するための腰装着部材７を備え、弯曲円弧状の脇腹用弾性芯材81を有する脇腹当接円弧状片８を介して、上記プロテクター本体１の左右各側縁部12と、上記腰装着部材７とを、連結し、装着使用状態で上記脇腹当接円弧状片８が円弧状を保って人体の脇腹部Ｗに引っ掛かるように構成されているので、脇腹当接円弧状片８がフック掛けのように脇腹部Ｗの頂部Ｗｄに引っ掛かって、脇腹部Ｗ近傍に位置ズレの原因となる不要な隙間が形成されるのを防止できる。装着使用状態で装着者が運動しても脇腹当接円弧状片８が、左右方向の位置ズレを防止し、装着者を確実に保護できると共に、運動の妨げや不快感を防止できる。脇腹部Ｗに、脇腹当接円弧状片８を対応させることで、プロテクター本体１を適正な位置に容易かつ迅速に配設できる。腰装着部材７の装着力を人体に無駄なく伝えて位置ズレを防止できる。
【００４３】
また、上記プロテクター本体１を人体に装着するための腰装着部材７を備え、上記プロテクター本体１の左右各側縁部12は、装着使用状態で人体の脇腹部Ｗの頂部Ｗｄを超える長さに設定されて、弯曲円弧状の脇腹用弾性芯部82が内部に設けられた脇腹当接円弧状片部80が形成され、該脇腹当接円弧状片部80と上記腰装着部材７とを、連結し、装着使用状態で上記脇腹当接円弧状片部80が円弧状を保って人体の脇腹部Ｗに引っ掛かるように構成されているので、脇腹当接円弧状片部80がフック掛けのように脇腹部（横腹部）Ｗの頂部Ｗｄに引っ掛かって、脇腹部Ｗ近傍に位置ズレの原因となる不要な隙間が形成されるのを防止できる。装着使用状態で装着者が運動しても脇腹当接円弧状片部80が、左右方向の位置ズレを防止し、装着者を確実に保護できると共に、運動の妨げや不快感を防止できる。また、脇腹部Ｗに、脇腹当接円弧状片部80を対応させることで、プロテクター本体１（ボディ部10や脇腹保護部30）を適正な位置に容易かつ迅速に配設できる。腰装着部材７の装着力に無駄なく伝えて位置ズレを防止できる。
【符号の説明】
【００４４】
１  プロテクター本体
５  肩掛けアーチ片
６  背中装着部材
７  腰装着部材
８  脇腹当接円弧状片
10  ボディ部
11  突出片部
12  側縁部
50  肩掛けアーチ片部
51  弾性芯材
52  弾性芯部
80  脇腹当接円弧状片部
81  脇腹用弾性心材
82  脇腹用弾性芯部
Ｓ  肩部
Ｓｄ  頂部
Ｗ  脇腹部
Ｗｄ  頂部
【図１】
2018139767.tif 000003
【図２】
2018139767.tif 000004
【図３】
2018139767.tif 000005
【図４】
2018139767.tif 000006
【図５】
2018139767.tif 000007
【図６】
2018139767.tif 000008
【図７】
2018139767.tif 000009
【図８】
2018139767.tif 000010
【図９】
2018139767.tif 000011
【図１０】
2018139767.tif 000012
【図１１】
2018139767.tif 000013
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
捕手又は審判員を保護するための野球又はソフトボール用のプロテクターであって、
人体の胸部及び前腹部を保護するボディ部（10）と、該ボディ部（10）から上方に突出状に連設された左右一対の突出片部（11）（11）と、を有するプロテクター本体（１）と、
上記プロテクター本体（１）を人体に装着するための背中装着部材（６）と、
自由状態で弯曲円弧状に保持される弾性芯材（51）を有する肩掛けアーチ片（５）と、を備え、
上記肩掛けアーチ片（５）は、上記プロテクター本体（１）の突出片部（11）よりも硬く形成され、
各上記突出片部（11）の上部に、上記肩掛けアーチ片（５）の前端部（５ｅ）を縫着して、各上記突出片部（11）と上記背中装着部材（６）とを、上記肩掛けアーチ片（５）を介して、連結し、
装着使用状態で上記肩掛けアーチ片（５）が円弧状を保って人体の肩部（Ｓ）に懸架されるように構成されていることを特徴とするプロテクター。
【請求項２】
捕手又は審判員を保護するための野球又はソフトボール用のプロテクターであって、
人体の胸部及び前腹部を保護するボディ部（10）と、該ボディ部（10）から上方に突出状に連設された左右一対の突出片部（11）（11）と、を有するプロテクター本体（１）と、
上記プロテクター本体（１）を人体に装着するための背中装着部材（６）と、を備え、
上記プロテクター本体（１）の各上記突出片部（11）は、人体の肩部（Ｓ）の前面側を保護するための保護片部（15）と、該保護片部（15）の上端部から延伸一体状に設けられ装着使用状態で人体の肩部（Ｓ）の頂部（Ｓｄ）を超える長さに設定された肩掛けアーチ片部（50）と、を有し、
上記肩掛けアーチ片部（50）は、内部に、上記保護片部（15）の内部に設けられた保護用芯部（18）と一体成型された弾性芯部（52）を有し、該弾性芯部（52）は、自由状態で弯曲円弧状に保持され、
上記肩掛けアーチ片部（50）と上記背中装着部材（６）とを、連結し、
装着使用状態で上記肩掛けアーチ片部（50）が円弧状を保って人体の肩部（Ｓ）に懸架されるように構成されていることを特徴とするプロテクター。
【請求項３】
上記プロテクター本体（１）を人体に装着するための腰装着部材（７）を備え、
弯曲円弧状の脇腹用弾性芯材（81）を有する脇腹当接円弧状片（８）を介して、上記プロテクター本体（１）の左右各側縁部（12）と、上記腰装着部材（７）とを、連結し、
装着使用状態で上記脇腹当接円弧状片（８）が円弧状を保って人体の脇腹部（Ｗ）に引っ掛かるように構成されている請求項１又は２記載のプロテクター。
【請求項４】
上記プロテクター本体（１）を人体に装着するための腰装着部材（７）を備え、
上記プロテクター本体（１）の左右各側縁部（12）は、装着使用状態で人体の脇腹部（Ｗ）の頂部（Ｗｄ）を超える長さに設定されて、弯曲円弧状の脇腹用弾性芯部（82）が内部に設けられた脇腹当接円弧状片部（80）が形成され、該脇腹当接円弧状片部（80）と上記腰装着部材（７）とを、連結し、
装着使用状態で上記脇腹当接円弧状片部（80）が円弧状を保って人体の脇腹部（Ｗ）に引っ掛かるように構成されている請求項１又は２記載のプロテクター。
【手続補正２】
【補正対象書類名】明細書
【補正対象項目名】全文
【補正方法】変更
【補正の内容】
【発明の詳細な説明】
【技術分野】
【０００１】
本発明は、プロテクターに関する。
【背景技術】
【０００２】
従来、選手や審判員を他者や球から保護するための球技用のプロテクターは、人体の胸部を保護するためのボディ部と、ボディ部から上方に突出状に連設された左右一対の突出片部と、を一体に有するプロテクター本体を備え、そのプロテクター本体を人体に装着するための背ベルトや背パット等の背中装着部材を、突出片部の上端部に固着していた（例えば、特許文献１参照）。
【先行技術文献】
【特許文献】
【０００３】
【特許文献１】登録実用新案第３０７０２４０号公報
【発明の概要】
【発明が解決しようとする課題】
【０００４】
しかし、従来のプロテクターは、人体の肩部において装着おさまりが悪く、プロテクター本体が上下動するといった問題があった。つまり、図10（ａ）（ｂ）に示すように、プロテクター本体90を人体に装着すると、側面視で、突出片部91の裏面側と、背中装着部材99と、人体の肩部Ｓと、の間に、不要な隙間Ｊが形成される。この隙間Ｊが形成されたまま装着者が運動すると、図11（ａ）に示すように、プロテクター本体90が下方へ滑り落ちるように位置ズレして保護性能が十分に発揮できないといった問題や、図11（ｂ）に示すように、プロテクター本体90が上方かつ後方へせり上がって、装着者の首元が窮屈になって不快感を与えたり、運動の妨げになるといった問題があった。
【０００５】
そこで、本発明は、プロテクター本体の位置ズレを防止し、しかも、容易かつ適正に装着可能なプロテクターの提供を目的とする。
【課題を解決するための手段】
【０００６】
上記目的を達成するために、本発明のプロテクターは、捕手又は審判員を保護するための野球又はソフトボール用のプロテクターであって、人体の胸部及び前腹部を保護するボディ部と、該ボディ部から上方に突出状に連設された左右一対の突出片部と、を有するプロテクター本体と、上記プロテクター本体を人体に装着するための背中装着部材と、自由状態で弯曲円弧状に保持される弾性芯材を有する肩掛けアーチ片と、を備え、上記肩掛けアーチ片は、上記プロテクター本体の突出片部よりも硬く形成され、各上記突出片部の上部に、上記肩掛けアーチ片の前端部を縫着して、各上記突出片部と上記背中装着部材とを、上記肩掛けアーチ片を介して、連結し、装着使用状態で上記肩掛けアーチ片が円弧状を保って人体の肩部に懸架されるように構成されているものである。
【０００７】
また、捕手又は審判員を保護するための野球又はソフトボール用のプロテクターであって、人体の胸部及び前腹部を保護するボディ部と、該ボディ部から上方に突出状に連設された左右一対の突出片部と、を有するプロテクター本体と、上記プロテクター本体を人体に装着するための背中装着部材と、を備え、上記プロテクター本体の各上記突出片部は、人体の肩部の前面側を保護するための保護片部と、該保護片部の上端部から延伸一体状に設けられ装着使用状態で人体の肩部の頂部を超える長さに設定された肩掛けアーチ片部と、を有し、上記肩掛けアーチ片部は、内部に、上記保護片部の内部に設けられた保護用芯部と一体成型された弾性芯部を有し、該弾性芯部は、自由状態で弯曲円弧状に保持され、上記肩掛けアーチ片部と上記背中装着部材とを、連結し、装着使用状態で上記肩掛けアーチ片部が円弧状を保って人体の肩部に懸架されるように構成されているものである。
【０００８】
また、上記プロテクター本体を人体に装着するための腰装着部材を備え、弯曲円弧状の脇腹用弾性芯材を有する脇腹当接円弧状片を介して、上記プロテクター本体の左右各側縁部と、上記腰装着部材とを、連結し、装着使用状態で上記脇腹当接円弧状片が円弧状を保って人体の脇腹部に引っ掛かるように構成されているものである。
また、上記プロテクター本体を人体に装着するための腰装着部材を備え、上記プロテクター本体の左右各側縁部は、装着使用状態で人体の脇腹部の頂部を超える長さに設定されて、弯曲円弧状の脇腹用弾性芯部が内部に設けられた脇腹当接円弧状片部が形成され、該脇腹当接円弧状片部と上記腰装着部材とを、連結し、装着使用状態で上記脇腹当接円弧状片部が円弧状を保って人体の脇腹部に引っ掛かるように構成されているものである。
【発明の効果】
【０００９】
本発明によれば、肩掛けアーチ片又は肩掛けアーチ片部が、人体の肩部にフック掛けのように懸架されて、肩部近傍に位置ズレの原因となる不要な隙間が形成されるのを防止できる（密着性を高めて装着おさまりが良くなる）。装着使用状態で装着者が運動しても肩掛けアーチ片又は肩掛けアーチ片部が、上下方向の位置ズレを防止し、装着者を確実に保護できると共に、運動の妨げや不快感を防止できる。また、人体の肩部に、肩掛けアーチ片又は肩掛けアーチ片部を対応させることで、適正な位置に容易かつ迅速に配設（仮当て）して装着できる。背中装着部材の装着力を人体の肩部に無駄なく伝えて位置ズレを防止できる。
【図面の簡単な説明】
【００１０】
【図１】本発明のプロテクターの実施の一形態を示す正面図である。
【図２】要部断面側面図である。
【図３】横断面図であって、（ａ）は図１のＹ―Ｙ断面をもって示す自由状態の横断面図であり、（ｂ）は装着使用状態を示す横断面図である。
【図４】第２実施形態の要部断面側面図である。
【図５】参考例の要部断面側面図である。
【図６】他の実施形態の横断面図である。
【図７】別の実施形態の横断面図である。
【図８】肩掛けアーチ片と背パット部材の連結構造の一例を示す要部断面側面図である。
【図９】突出片部と背パット部材の連結構造の一例を示す要部断面側面図である。
【図１０】従来技術の問題点を説明するための要部断面側面図であって、（ａ）は装着使用状態の一例を示す要部断面側面図であり、（ｂ）は装着使用状態の他例を示す要部断面側面図である。
【図１１】従来技術の問題点を説明するための要部断面側面図であって、（ａ）は位置ズレ状態の一例を示す要部断面側面図であり、（ｂ）は位置ズレ状態の他例を示す要部断面側面図である。
【発明を実施するための形態】
【００１１】
以下、図示の実施形態に基づき本発明を詳説する。
本発明に係るプロテクターは、野球やソフトボールの球技の選手（捕手）や審判員の上半部を保護するものであって、図１に示すように、人体の胸部と前腹部と脇腹部を保護するプロテクター本体１と、プロテクター本体１を人体に装着するための背中装着部材６及び腰装着部材７と、を備えている。
【００１２】
プロテクター本体１は、人体の胸部及び前腹部を保護するボディ部10と、ボディ部10の上部左右各々から上方突出状に一体に連設される左右一対の突出片部11，11と、前腹部乃至脇腹部（横腹部）を保護する脇腹保護部30と、を有している。
【００１３】
そして、図１及び図２に示すように、左右各突出片部11に、側面視で弯曲円弧状の肩掛けアーチ片５を連結し、その肩掛けアーチ片５に、背中装着部材６の上端部（先端部）を連結している。
【００１４】
肩掛けアーチ片５（以下、アーチ片５と呼ぶ場合もある）は、一端部（前端部）５ｅの裏面が、突出片部11，11の上部の表て面に対応（対面）して縫製にて固着（縫着）され、他端部（後端部）５ｆに、背中装着部材６の背ベルト部材61がリベット止め等によって固着している。言い換えると、突出片部11に、アーチ片５を、延伸状に固着している。
アーチ片５は、突出片部11に対して後端部５ｆ側が揺動自在であり、装着を容易かつ迅速に行うことができる。
【００１５】
アーチ片５は、表て被覆部材（表て生地）と、裏被覆部材（裏生地）と、表て被覆部材と裏被覆部材に挟まれる肩用の弾性芯材51と、縁部を包囲する縁巻き部材と、を有し、縫製にて一体化している。なお、図２乃至図11に於て、各部材や部位における表て被覆部材と裏被覆部材と縁巻き部材は一体に（同一断面にて）図示している。
【００１６】
弾性芯材51は、熱圧縮成型品であって、自由状態（非装着状態）で、側面視弯曲円弧形状（アール形状）が保持されるように形成されている。また、弾性変形可能である。
つまり、アーチ片５は、予め（装着する前から）人体の肩部Ｓに沿うことが（肩部Ｓの頂部Ｓｄを超えることが）可能な形状に保持されている。
【００１７】
アーチ片５（弾性芯材51）は、帯板型であって、装着使用状態で、人体（装着者）の肩部Ｓの前面側から、肩部Ｓの頂部Ｓｄを超えて、肩部Ｓの背面側へ向かうように、側面視で弯曲円弧状（アール状）を保って、肩部Ｓに懸架されるように形成している。
【００１８】
そして、アーチ片５は、突出片部11よりも硬く（突出片部11はアーチ片５よりも柔らかく）形成している。装着使用状態において、突出片部11がアーチ片５の前端部５ｅに沿って弾性変形し、アーチ片５が、肩部Ｓに沿って配置される。
【００１９】
また、アーチ片５と突出片部11とのラップ部における突出片部11の最大左右幅寸法を１００％とすると、アーチ片５の最大左右幅寸法は、５０％以上９０％以下に設定している。つまり、アーチ片５は、突出片部11よりも細く、装着者が首振してもアーチ片５が運動の妨げにならない。
【００２０】
アーチ片５は、装着使用状態で、人体の肩部Ｓに沿って当接し、位置ズレの原因となるような不要な隙間Ｊ（図10参照）が形成されるのを阻止する（密着性を高める）。また、背中装着部材６の締め付け力（装着力）によって、アーチ片５が人体の肩部Ｓに沿って押し付けられ、装着力を無駄なく人体に作用させることができ、摩擦力を高める。アーチ片５は、弾性変形可能であるが、自由状態（非装着状態）及び装着使用状態の両者において、弯曲円弧形状を保つため、人体の肩部Ｓに懸架されてフック作用を発揮し、プロテクター本体１が下方へ位置ズレしようとしても、肩掛けアーチ片５の後端部５ｆが肩部Ｓの背中側に係止するように当接して阻止し、プロテクター本体１が上方へ位置ズレしようとしても肩掛けアーチ片５の前端部５ｅによって前下方へ押さえつけておくことができる。
【００２１】
ここで、図１に示すように、プロテクター本体１は、ボディ部10及び突出片部11，11を有する（人体の胸部及び前腹部を保護する）中央保護部材２と、中央保護部材２から左右側方へ突設され人体の前腹部乃至脇腹部を保護する（脇腹保護部30を有する）左右一対の側方保護部材３，３と、を備えた３分割構造である。中央保護部材２の左右両側縁夫々に、各側方保護部材３，３が縫着によって固着されている。側方保護部材３，３は、中央保護部材２に対して、揺動自在である。
【００２２】
そして、図１及び図３に示すように、プロテクター本体１の左右各側縁部12に、平面視で弯曲円弧状の脇腹当接円弧状片８を連結し、その脇腹当接円弧状片８に、腰装着部材７を連結している。
【００２３】
脇腹当接円弧状片８（以下、円弧状片８と呼ぶ場合もある）は、一端部（前端部）８ｅの裏面が、側縁部12の表て面に対応（対面）して縫製にて固着（縫着）され、他端部（後端部）８ｆに、腰装着部材７のバックル部材77や腰ベルト部材71がリベット止め等によって固着している。言い換えると、側縁部12に、円弧状片８を、延伸状に固着している。
円弧状片８は、側縁部12に対して後端部８ｆ側が揺動自在であり、装着を容易かつ迅速に行うことができる。
【００２４】
円弧状片８は、表て被覆部材と、裏被覆部材と、表て被覆部材と裏被覆部材に挟まれる脇腹用弾性芯材81と、縁部を包囲する縁巻き部材と、を有し、縫製にて一体化している。
脇腹用弾性芯材81は、熱圧縮成型品であって、自由状態（非装着状態）で、平面視弯曲円弧形状が保持されるように形成されている。また、弾性変形可能に形成されている。
つまり、円弧状片８は、予め（装着する前から）人体の脇腹部Ｗに沿うことが（脇腹部Ｗの頂部Ｗｄを超えることが）可能な形状に保持されている。
【００２５】
円弧状片８（脇腹用弾性芯材81）は、板型であって、装着使用状態で、人体の前面側（前腹側）から、人体の脇腹部Ｗの（左右外方へ膨らんだ）頂部Ｗｄを超えて、人体の背面側へ向かうように、平面視で弯曲円弧状（アール状）を保って、脇腹部Ｗに引っ掛かるように形成している。
【００２６】
そして、円弧状片８は、プロテクター本体１の側縁部12（脇腹保護部30）よりも硬く形成している（側縁部12は、脇腹当接円弧状片８よりも柔らかく形成している）。装着使用状態において側縁部12が円弧状片８の前端部８ｅに沿って弾性変形し、円弧状片８が、脇腹部Ｗに沿って配置される。
また、側縁部12の側端が左右内方へ屈曲するように、（脇腹保護部30において）クセ付けした縫製クセ付けライン88に、円弧状片８の前端部８ｅを縫着している。縫製作業を容易かつ迅速に行うことが可能となる。
【００２７】
円弧状片８は、装着使用状態で、人体の脇腹部Ｗに沿って当接し、位置ズレの原因となるような不要な隙間が形成されるのを阻止する。また、腰装着部材７の装着力によって、円弧状片８が人体の脇腹部Ｗに沿って押し付けられて、装着力を無駄なく人体に作用させる。円弧状片８は、弾性変形可能であるが、自由状態（非装着状態）及び装着使用状態の両者において、弯曲円弧形状を保つため、人体の脇腹部Ｗに引っ掛かって、プロテクター本体１の左右方向の位置ズレを阻止する。
【００２８】
次に、図４に示す第２実施形態について説明する。図１及び図２の実施形態と比べて突出片部11の構成が異なる。
図４に於て、突出片部11は、装着使用状態で人体の肩部Ｓの頂部Ｓｄを超える長さに設定されている。突出片部11は、人体の肩部Ｓの前面側を保護するための保護片部15と、保護片部15の上端部から延伸一体状に設けられ装着使用状態で人体の肩部Ｓの頂部Ｓｄを超えるように懸架される肩掛けアーチ片部50と、を有するものである。
【００２９】
肩掛けアーチ片部50（以下、アーチ片部50と呼ぶ場合もある）は、自由状態（非装着状態）で側面視弯曲円弧状の肩用の弾性芯部52が内部に設けられている。つまり、予め（装着する前から）人体の肩部Ｓに沿うことが可能な形状に保持されている。
弾性芯部52は、保護片部15の内部に設けられた保護用芯部18と一体に設けている。言い換えると、保護用芯部18及び弾性芯部52は、熱圧縮成型による一体成型品（突出片用芯材）の一部である。弾性芯部52は保護用芯部18よりも硬く設定している。
そして、アーチ片部50の先端と背中装着部材６の背ベルト部材61とを、連結し、装着使用状態で肩掛けアーチ片部50（弾性芯部52）が円弧状を保って人体の肩部Ｓに懸架されるように構成している。ボディ部10及び保護片部15の上下方向の位置ズレを阻止する。アーチ片部50及び弾性芯部52の他の構成及び作用効果は、上述のアーチ片５及び弾性芯材51と同様である。また、プロテクター全体の他の構成及び作用効果は、上述の実施形態と同様である。
【００３０】
次に、図５に示す参考例について説明する。
図５の参考例は、図４の実施形態と比べて、保護用芯部18と弾性芯部52とを別部材（異なる芯材）で構成している。
つまり、突出片部11において、保護片部15を形成する表て被覆部材と裏被覆部材と縁巻き部材といった各部材は、アーチ片部50を形成する表て被覆部材と裏被覆部材と縁巻き部材といった各部材と、夫々、一体であり、外観形状（見た目や美観）は、図４の実施形態と同様であるが、突出片部11の内部において、保護片部15に対応する保護用芯材19と、アーチ片部50に対応する肩用の弾性芯材51と、を設けた、芯材分離構造としている。
図５のように構成することで、保護用芯部18と弾性芯部52の製造（成型）が容易になると共に、材質を相違させることや、硬さを相違させることが容易となる。他の構成及び作用効果は、上述の実施形態と同様である。
【００３１】
次に、図６に示す他の実施形態について説明する。図１及び図３の実施形態と比べて、側縁部12の構成が異なる。
図６に於て、プロテクター本体１の側縁部12は、装着使用状態で人体の脇腹部Ｗの頂部Ｗｄを超える長さに設定されている。
側縁部12は、人体の前腹部乃至脇腹部Ｗを保護するための脇腹保護部30と、脇腹保護部30の左右外方側縁部に一体状に連設され装着使用状態で人体の脇腹部Ｗの頂部Ｗｄを超えるように形成されて脇腹部Ｗに引っ掛かる脇腹当接円弧状片部80と、を有するものである。脇腹保護部30は、ボディ部10の下部となる（人体の前腹部を保護する）前腹保護部20と、脇腹当接円弧状片部80と、の間の部位である。
【００３２】
脇腹当接円弧状片部80（以下、円弧状片部80と言う場合もある）は、自由状態（非装着状態）で平面視弯曲円弧状の脇腹用弾性芯部82が内部に設けられている。予め（装着する前から）人体の脇腹部Ｗに沿うことが（頂部Ｗｄを超えることが）可能な形状に保持されている。
脇腹用弾性芯部82は、脇腹保護部30の内部に設けられた脇腹保護用芯部38と一体に設けている。言い換えると、脇腹保護用芯部38及び脇腹用弾性芯部82は、熱圧縮成型による一体成型品（側縁部用芯材）の一部である。脇腹用弾性芯部82は脇腹保護用芯部38よりも硬く設けている。
そして、円弧状片部80の先端と腰装着部材７とを、連結し、装着使用状態で円弧状片部80（脇腹用弾性芯部82）が円弧状を保って人体の脇腹部Ｗに引っ掛かるように構成している。円弧状片部80は、ボディ部10や脇腹保護部30が左右方向に位置ズレを阻止する。円弧状片部80と脇腹用弾性芯部82の他の作用効果は、上述の円弧状片８と脇腹用弾性芯材81と同様である。また、他の構成及び作用効果は、上述の実施形態と同様である。
【００３３】
次に、図７に示す別の実施形態について説明する。
図７の実施形態は、図６の実施形態と比べて、脇腹保護用芯部38と脇腹用弾性芯部82とを別部材（異なる芯材）で構成している。
つまり、側縁部12において、脇腹保護部30を形成する表て被覆部材と裏被覆部材と縁巻き部材といった各部材は、円弧状片部80を形成する表て被覆部材と裏被覆部材と縁巻き部材といった各部材と、夫々、一体であり、外観形状（見た目や美観）は、図６の実施形態と同様であるが、側縁部12の内部において、脇腹保護部30に対応する脇腹保護用芯材39と、円弧状片部80に対応する脇腹用弾性芯材81と、を設けた芯材分離構造としている。
【００３４】
図７の実施形態のように構成することで、脇腹保護用芯部38と、脇腹用弾性芯部82と、の製造（成型）が容易になると共に、材質を相違させることや、硬さ（硬度）を相違させることが容易となる。他の構成及び作用効果は、上述の実施形態と同様である。
【００３５】
また、図８と図９に示すように、背中装着部材６の先端部（上端部）側が背パット部材62で構成される場合は、Ｔ字乃至Ｙ字状に形成されている背パット部材62の分岐突片部の先端部（上端部）を、図８に示すようにアーチ片５、又は、図９に示すようにアーチ片部50、の裏面側に配設して、固着（縫着）している。
さらに、背パット部材62の分岐片部の先端62ｄを、図８に示すように突出片部11、又は、図９に示すように保護片部15、の上端近傍に（上端に接近させて）縫着し、人体の肩部Ｓに背パット部材62の分岐片部の裏面が当接する（背パット部材62が肩部Ｓに懸架される）ように設けている。
【００３６】
また、アーチ片５及びアーチ片部50よりも、背パット部材62を柔らかく設ける。背パット部材62の分岐突片部が、アーチ片５又はアーチ片部50に沿って、人体の肩部Ｓに密着して位置ズレを防止できる。言い換えると、アーチ片５又はアーチ片部50によって、背パット部材62を弾性変形させて、肩部Ｓに沿って密着させている。また、フィット感も得られる。また、背パット部材62を適正な位置（人体の肩甲骨を保護する位置）に保持できる。
【００３７】
また、各芯材19，39，51，81や芯部18，38，52，82は、樹脂製又はゴム製であって、材質としては、例えば、低反発ポリプロピレン、低反発ポリエチレン、ポリエチレン発泡体、ポリウレタン発泡体、ＥＶＡ（エチレン−酢酸ビニル共重合樹脂）発泡体、エラストマー等である。
【００３８】
なお、本発明は、設計変更可能であって、図１と図３に於て、プロテクター本体１は、中央保護部材２と一対の側方保護部材３，３とを一体に有する１枚板状であっても良い。図６と図７のプロテクター本体１に於て、ボディ部10（前腹保護部20）と脇腹保護部30とが別部材で構成された分割構造であっても良い。なお、背中装着部材６の下端部と、腰装着部材７の左右方向中央部とは、接続片を介して、連結している。本発明のプロテクターは、図４の構成と、図６又は図７の構成と、を備えたものであっても良い。
【００３９】
なお、図１乃至図３と図８と図９に於て、縫着部を太い一点鎖線で図示している。また、図４と図５と図９において、保護片部15と肩掛けアーチ片部50の境界を太い二点鎖線で図示している。また、図６と図７において、ボディ部10（前腹保護部20）と、脇腹保護部30と、円弧状片部80と、の境界を太い二点鎖線で図示している。また、図８と図９に於て、突出片部11と背パット部材62の芯材（芯部）を図示省略している。
【００４０】
以上のように、本発明のプロテクターは、人体の胸部及び前腹部を保護するボディ部10と、該ボディ部10から上方に突出状に連設された左右一対の突出片部11，11と、を有するプロテクター本体１と、上記プロテクター本体１を人体に装着するための背中装着部材６と、を備えたプロテクターに於て、弯曲円弧状の弾性芯材51を有する肩掛けアーチ片５を介して、各上記突出片部11と上記背中装着部材６とを、連結し、装着使用状態で上記肩掛けアーチ片５が円弧状を保って人体の肩部Ｓに懸架されるように構成されているので、肩掛けアーチ片５が、肩部Ｓにフック掛けのように懸架されて、肩部Ｓ近傍に位置ズレの原因となる不要な隙間が形成されるのを防止できる。装着使用状態で装着者が運動しても肩掛けアーチ片５が、上下方向の位置ズレを防止し、装着者を確実に保護できる。また、運動の妨げや不快感を防止できる。肩部Ｓに、肩掛けアーチ片５を対応させることで、プロテクター本体１を適正な位置に容易かつ迅速に配設できる。背中装着部材６の装着力を肩部Ｓに無駄なく伝えて位置ズレを防止できる。
【００４１】
また、人体の胸部及び前腹部を保護するボディ部10と、該ボディ部10から上方に突出状に連設された左右一対の突出片部11，11と、を有するプロテクター本体１と、上記プロテクター本体１を人体に装着するための背中装着部材６と、を備えたプロテクターに於て、上記プロテクター本体１の各上記突出片部11は、装着使用状態で人体の肩部Ｓの頂部Ｓｄを超える長さに設定されて、弯曲円弧状の弾性芯部52が内部に設けられた肩掛けアーチ片部50が形成され、該肩掛けアーチ片部50と上記背中装着部材６とを、連結し、装着使用状態で上記肩掛けアーチ片部50が円弧状を保って人体の肩部Ｓに懸架されるように構成されているので、肩掛けアーチ片部50が、肩部Ｓにフック掛けのように懸架されて、肩部Ｓ近傍に不要な隙間が形成されるのを防止できる。装着使用状態で装着者が運動しても肩掛けアーチ片部50が、上下方向の位置ズレを防止し、装着者を確実に保護できると共に、運動の妨げや不快感を防止できる。また、肩部Ｓに、肩掛けアーチ片部50を対応させることで、プロテクター本体１（ボディ部10や保護片部15）を適正な位置に容易かつ迅速に配設できる。背中装着部材６の装着力を肩部Ｓに無駄なく伝えて位置ズレを防止できる。
【００４２】
また、上記プロテクター本体１を人体に装着するための腰装着部材７を備え、弯曲円弧状の脇腹用弾性芯材81を有する脇腹当接円弧状片８を介して、上記プロテクター本体１の左右各側縁部12と、上記腰装着部材７とを、連結し、装着使用状態で上記脇腹当接円弧状片８が円弧状を保って人体の脇腹部Ｗに引っ掛かるように構成されているので、脇腹当接円弧状片８がフック掛けのように脇腹部Ｗの頂部Ｗｄに引っ掛かって、脇腹部Ｗ近傍に位置ズレの原因となる不要な隙間が形成されるのを防止できる。装着使用状態で装着者が運動しても脇腹当接円弧状片８が、左右方向の位置ズレを防止し、装着者を確実に保護できると共に、運動の妨げや不快感を防止できる。脇腹部Ｗに、脇腹当接円弧状片８を対応させることで、プロテクター本体１を適正な位置に容易かつ迅速に配設できる。腰装着部材７の装着力を人体に無駄なく伝えて位置ズレを防止できる。
【００４３】
また、上記プロテクター本体１を人体に装着するための腰装着部材７を備え、上記プロテクター本体１の左右各側縁部12は、装着使用状態で人体の脇腹部Ｗの頂部Ｗｄを超える長さに設定されて、弯曲円弧状の脇腹用弾性芯部82が内部に設けられた脇腹当接円弧状片部80が形成され、該脇腹当接円弧状片部80と上記腰装着部材７とを、連結し、装着使用状態で上記脇腹当接円弧状片部80が円弧状を保って人体の脇腹部Ｗに引っ掛かるように構成されているので、脇腹当接円弧状片部80がフック掛けのように脇腹部（横腹部）Ｗの頂部Ｗｄに引っ掛かって、脇腹部Ｗ近傍に位置ズレの原因となる不要な隙間が形成されるのを防止できる。装着使用状態で装着者が運動しても脇腹当接円弧状片部80が、左右方向の位置ズレを防止し、装着者を確実に保護できると共に、運動の妨げや不快感を防止できる。また、脇腹部Ｗに、脇腹当接円弧状片部80を対応させることで、プロテクター本体１（ボディ部10や脇腹保護部30）を適正な位置に容易かつ迅速に配設できる。腰装着部材７の装着力に無駄なく伝えて位置ズレを防止できる。
【符号の説明】
【００４４】
１  プロテクター本体
５  肩掛けアーチ片
６  背中装着部材
７  腰装着部材
８  脇腹当接円弧状片
10  ボディ部
11  突出片部
12  側縁部
15 保護片部
18 保護用芯部
50  肩掛けアーチ片部
51  弾性芯材
52  弾性芯部
80  脇腹当接円弧状片部
81  脇腹用弾性心材
82  脇腹用弾性芯部
Ｓ  肩部
Ｓｄ  頂部
Ｗ  脇腹部
Ｗｄ  頂部